(57)【要約】【課題】  着信メロディ付通信機において、簡単構成で、使用者の好みを満たすと共に周囲の環境に応じた適切な着信メロディを鳴動させるようにすること。【解決手段】  使用者は操作部１０２を操作して、着信時に鳴動させたい複数の着信メロディを音源部１０３に予め記憶しておく。ＣＰＵ１０４は、無線部１０１を介して基地局からの着信を検出すると、騒音レベル解析部１０６はマイク１１２から入力された周囲音から音レベルを解析し、前記周囲音レベルでも使用者に報知することが可能な大きさの着信メロディを、音源部１０３に記憶された着信メロディから選択し、スピーカ１１１から鳴動させる。【選択図】  図１
2007266803.tif 000002
【特許請求の範囲】
【請求項１】
着信メロディを鳴動することによって着信を報知する着信メロディ機能付通信機において、
周囲音を検出する音検出手段と、前記音検出手段によって検出した周囲音のレベルを解析する音レベル解析手段と、鳴動する着信メロディの音量を表す音量データを記憶する記憶手段と、着信メロディを鳴動する着信メロディ出力手段と、着信メロディを鳴動するように前記着信メロディ出力手段を制御する制御手段とを備え、
前記制御手段は、前記周囲レベル解析手段が解析した周囲音のレベルに基づいて、前記記憶手段を参照して着信メロディを選択し、前記選択した着信メロディを鳴動するように前記着信メロディ出力手段を制御することを特徴とする着信メロディ機能付通信機。
【請求項２】
使用者が指定した特定の着信メロディを鳴動する特定選曲モードと、複数の着信メロディの中からランダムに選択して鳴動するランダム選曲モードのいずれかのモードを選択して設定する入力手段を有し、
前記制御手段は、前記入力手段によってランダム選曲モードが設定されているとき、前記周囲音レベル解析手段が解析した周囲音のレベルに基づいて、前記記憶手段を参照して着信メロディを選択し、前記選択した着信メロディを鳴動するように前記着信メロディ出力手段を制御することを特徴とする請求項１記載の着信メロディ機能付通信機。
【請求項３】
前記制御手段は、前記入力手段によるランダム選曲の設定時に、ランダム選曲の対象となる着信メロディを、各着信メロディの音量データに基づいてグループ分けして成り、
前記周囲音レベル解析手段による解析結果、周囲音レベルが大きいときには、ランダム選曲の対象曲で音量が大きいグループの中からランダムに選曲して着信音を鳴動し、周囲レベルが小さいときには、ランダム選曲の対象曲で音量が小さいグループの中からランダムに選曲して着信音を鳴動することを特徴とする請求項２記載の着信メロディ機能付通信機。
【請求項４】
着信メロディを鳴動することによって着信を報知する着信メロディ機能付通信機において、
周囲音を検出する音検出手段と、前記音検出手段によって検出した周囲音のスペクトラム解析を行い、周囲レベルが大きい周波数を求める音スペクトラム解析手段と、鳴動する着信メロディのスペクトラムを表す音スペクトラムを記憶する記憶手段と、着信メロディを鳴動する着信メロディ出力手段と、着信メロディを鳴動するように前記着信メロディ出力手段を制御する制御手段とを備え、
前記制御手段は、前記音スペクトラム解析手段が解析した周囲音のスペクトラムに基づいて、前記記憶手段を参照して着信メロディを選択し、前記選択した着信メロディを鳴動するように前記着信メロディ出力手段を制御することを特徴とする着信メロディ機能付通信機。
【請求項５】
使用者が指定した特定の着信メロディを鳴動する特定選曲モードと、複数の着信メロディの中からランダムに選択して鳴動するランダム選曲モードのいずれかのモードを選択して設定する入力手段を有し、
前記制御手段は、前記入力手段によってランダム選曲モードが設定されているとき、前記音スペクトラム解析手段が解析した周囲音のスペクトラムに基づいて、前記記憶手段を参照して着信メロディを選択し、前記選択した着信メロディを鳴動するように前記着信メロディ出力手段を制御することを特徴とする請求項４記載の着信メロディ機能付通信機。
【請求項６】
前記制御手段は、ランダム選曲モードが設定されているとき、周囲音のレベルが大きい周波数のレベルが最も大きい着信メロディを選択して鳴動することを特徴とする請求項５記載の着信メロディ機能付通信機。
【請求項７】
前記ランダム選曲モードにおいて選曲される着信メロディには、予め内蔵されている内蔵曲とダウンロードしたダウンロード曲が含まれることを特徴とする請求項１乃至６のいずれか一に記載の着信メロディ機能付通信機。
【請求項８】
前記音検出手段は、周囲音を集音するためのマイクを有し、前記マイクは通話用マイクを兼用して成ることを特徴とする請求項１乃至７のいずれか一に記載の着信メロディ機能付通信機。
【発明の詳細な説明】
【技術分野】
【０００１】
本発明は、携帯電話、ＰＨＳ（Personal Handyphone System）、通信機能付ＰＤＡ（携帯情報端末：Personal Digital Assistant）等の通信機に関し、特に、着信をメロディで知らせるようにした着信メロディ機能付通信機に関する。
【背景技術】
【０００２】
従来から、携帯電話、ＰＨＳ、通信機能付ＰＤＡをはじめとする携帯型通信機等において、通話や電子メール等の着信時に、着信をメロディ（着信メロディ）によって知らせるようにした着信メロディ機能付通信機が開発されている。
例えば、携帯電話においては、着信時に鳴動する着信メロディとして、あらかじめ携帯電話に内蔵されているメロディや使用者がダウンロードしたメロディなど、複数のメロディを保持することができるように構成されている。使用者があらかじめ、複数の着信メロディの中から鳴動させるメロディを選択しておき、着信時に選択した着信メロディを鳴動させる。
【０００３】
このため、使用者が着信メロディの変更操作を行わずにいると、常に同じ着信メロディが鳴動することになるため、使用者は着信メロディに飽きてくる。一方、使用者がたびたび、着信メロディの変更操作を行うことは面倒である。
このような問題に対応する方法として、例えば、特許文献１、２に記載されて発明においては、複数の着信メロディを用意しておき、着信時に、前記着信メロディの中からランダムに選択し、該選択した着信メロディをスピーカから出力して着信を知らせるようにしている。これにより、着信時に異なる着信メロディを鳴動させることが可能になる。
【０００４】
また、特許文献３に記載されている発明においては、発信側は着信時に再生する音量を付加情報として送信し、着信側は、前記付加情報に応じた音量の着信メロディを出力するようにしている。
特許文献４に記載された発明においては、周囲の音のパワーや周波数を分析し着信メロディを選択するようにしている。
また、特許文献５に記載された発明では、メロディの周波数分析を行って記憶し、着信メロディとして出力するようにしている。
【０００５】
ところで、着信メロディを変えることは使用者の好みを満足させるという点から好ましいが、携帯電話の着信を確実に知らせうるものでなければならなず、また、周囲の環境に応じた着信メロディにする必要がある。
前記特許文献１〜５記載の発明には係る観点から成された発明はなく、例えば、特許文献４に記載された発明では、音色を選択する手段等が必要となるため、構成が複雑になるという問題がある。
前記問題は、携帯電話にかぎらず、ＰＨＳ等も含めて着信メロディ機能付通信機に共通する問題である。
【０００６】
【特許文献１】特開２００２−５７７４６号公報
【特許文献２】特開２００２−２０４２８６号公報
【特許文献３】特開２００２−３４４５８０号公報
【特許文献４】特開２００１−２２３７６７号公報
【特許文献３】特開２００２−９１４３３号公報
【発明の開示】
【発明が解決しようとする課題】
【０００７】
本発明は、着信メロディ付通信機において、簡単構成で、使用者の好みを満たすと共に周囲の環境に応じた適切な着信メロディを鳴動させるようにすることを課題としている。
【課題を解決するための手段】
【０００８】
本発明によれば、着信メロディを鳴動することによって着信を報知する着信メロディ機能付通信機において、周囲音を検出する音検出手段と、前記音検出手段によって検出した周囲音のレベルを解析する音レベル解析手段と、鳴動する着信メロディの音量を表す音量データを記憶する記憶手段と、着信メロディを鳴動する着信メロディ出力手段と、着信メロディを鳴動するように前記着信メロディ出力手段を制御する制御手段とを備え、前記制御手段は、前記周囲音レベル解析手段が解析した周囲音のレベルに基づいて、前記記憶手段を参照して着信メロディを選択し、前記選択した着信メロディを鳴動するように前記着信メロディ出力手段を制御することを特徴とする着信メロディ機能付通信機が提供される。
制御手段は、音レベル解析手段が解析した周囲音のレベルに基づいて、記憶手段を参照して着信メロディを選択し、前記選択した着信メロディを鳴動するように着信メロディ出力手段を制御する。
【０００９】
ここで、使用者が指定した特定の着信メロディを鳴動する特定選曲モードと、複数の着信メロディの中からランダムに選択して鳴動するランダム選曲モードのいずれかのモードを選択して設定する入力手段を有し、前記制御手段は、前記入力手段によってランダム選曲モードが設定されているとき、前記周囲音レベル解析手段が解析した周囲音のレベルに基づいて、前記記憶手段を参照して着信メロディを選択し、前記選択した着信メロディを鳴動するように前記着信メロディ出力手段を制御するように構成してもよい。
【００１０】
また、前記制御手段は、前記入力手段によるランダム選曲の設定時に、ランダム選曲の対象となる着信メロディを、各着信メロディの音量データに基づいてグループ分けして成り、前記周囲音レベル解析手段による解析結果、周囲音レベルが大きいときには、ランダム選曲の対象曲で音量が大きいグループの中からランダムに選曲して着信音を鳴動し、周囲音レベルが小さいときには、ランダム選曲の対象曲で音量が小さいグループの中からランダムに選曲して着信音を鳴動するように構成してもよい。
【００１１】
また、本発明によれば、着信メロディを鳴動することによって着信を報知する着信メロディ機能付通信機において、周囲音を検出する音検出手段と、前記音検出手段によって検出した周囲音のスペクトラム解析を行い、周囲音レベルが大きい周波数を求める音スペクトラム解析手段と、鳴動する着信メロディのスペクトラムを表す音スペクトラムを記憶する記憶手段と、着信メロディを鳴動する着信メロディ出力手段と、着信メロディを鳴動するように前記着信メロディ出力手段を制御する制御手段とを備え、前記制御手段は、前記音スペクトラム解析手段が解析した周囲音のスペクトラムに基づいて、前記記憶手段を参照して着信メロディを選択し、前記選択した着信メロディを鳴動するように前記着信メロディ出力手段を制御することを特徴とする着信メロディ機能付通信機が提供される。
制御手段は、音スペクトラム解析手段が解析した周囲音のスペクトラムに基づいて、記憶手段を参照して着信メロディを選択し、前記選択した着信メロディを鳴動するように着信メロディ出力手段を制御する。
【００１２】
ここで、使用者が指定した特定の着信メロディを鳴動する特定選曲モードと、複数の着信メロディの中からランダムに選択して鳴動するランダム選曲モードのいずれかのモードを選択して設定する入力手段を有し、前記制御手段は、前記入力手段によってランダム選曲モードが設定されているとき、前記音スペクトラム解析手段が解析した周囲音のスペクトラムに基づいて、前記記憶手段を参照して着信メロディを選択し、前記選択した着信メロディを鳴動するように前記着信メロディ出力手段を制御するように構成してもよい。
【００１３】
また、前記制御手段は、ランダム選曲モードが設定されているとき、周囲音のレベルが大きい周波数のレベルが最も大きい着信メロディを選択して鳴動するように構成してもよい。
また、前記ランダム選曲モードにおいて選曲される着信メロディには、予め内蔵されている内蔵曲とダウンロードしたダウンロード曲が含まれるように構成してもよい。
また、前記音検出手段は、周囲音を集音するためのマイクを有し、前記マイクは通話用マイクを兼用して成るように構成してもよい。
【発明の効果】
【００１４】
本発明に係る着信メロディ付通信機によれば、簡単構成で、使用者の好みを満たすと共に周囲の環境に応じた適切な着信メロディを鳴動させることが可能になる。
【発明を実施するための最良の形態】
【００１５】
図１は、本発明の第１の実施の形態に係る着信メロディ機能付通信機のブロック図で、着信メロディ機能付携帯電話の例を示している。
図１において、携帯電話は、図示しない基地局と無線信号の送受信を行う無線部１０１と、キースイッチ等を有し携帯電話の操作を行うための操作部１０２と、着信メロディを出力する音源部１０３と、携帯電話の各種制御を行う中央処理装置（ＣＰＵ）１０４と、着信メロディーデータが保存されているデータメモリ１０５と、マイク１１２より入力された周囲音のレベルを計算する騒音レベル解析部１０６と、デジタルデータをアナログデータに変換するデジタル／アナログ（Ｄ／Ａ）コンバータ１０７と、アナログデータをデジタルデータに変換するアナログ／デジタル（Ａ／Ｄ）コンバータ１０８と、着信メロディのレベル増減（増幅や減衰）を行うスピーカアンプ１０９と、マイク１１２からのマイク入力信号のレベル増減（増幅や減衰）を行うマイクアンプ１１０と、着信メロディを出力するスピーカ１１１と、外部の周囲音の信号を入力するマイク１１２とを備えている。マイク１１２は、音声入力用のマイクであり、周囲音信号の入力も兼ねたマイクである。
【００１６】
音源部１０３には複数の着信メロディが記憶されている。前記着信メロディには、最初から予め記憶されている内蔵の着信メロディ（内蔵曲）と、無線部１０１を介してダウンロードした着信メロディ（ダウンロード曲）とがある。データメモリ１０５は、フラッシュメモリやＥＥＰＲＯＭ等によって構成されており、後述するような着信メロディリスト等の、音源部１０３に記憶されている着信メロディの名称、特性情報、設定情報等を含む着信メロディリスト等の着信メロディに関する検索用データが記憶されている。ＣＰＵ１０４は、データメモリ１０５の記憶内容を参照して、音源部１０３に記憶されている着信メロディを選択して鳴動させるように制御する。
【００１７】
尚、音源部１０３には各着信メロディをデジタル形式で記憶しておき、選択された着信メロディを出力するように構成してもよく、あるいは、メロディを構成するための元になる音階等のデータを記憶しておき、それらをメロディを構成する順序で組み合わせて出力することによってメロディを出力するように構成してもよい。
ここで、無線部１０１は送受信手段を構成し、操作部１０２は入力手段を構成し、データメモリ１０５は記憶手段を構成し、ＣＰＵ１０４は制御手段を構成している。騒音レベル解析部１０６は周囲音のレベルを解析する音レベル解析手段を構成している。音源部１０３、Ｄ／Ａコンバータ１０７、スピーカアンプ１０９及びスピーカ１１１は、着信メロディを出力する着信メロディ出力手段を構成している。また、Ａ／Ｄコンバータ１０８、マイクアンプ１１０及びマイク１１２は周囲音を検出する周囲音検出手段を構成している。
【００１８】
以上のように構成された携帯電話の動作について説明する。
先ず、図１を参照して、着信メロディ出力時の動作について説明する。図示しない基地局より携帯電話の呼び出しが行われると、無線部１０１は基地局からの着信信号を検出し、ＣＰＵ１０４が前記着信信号を検出する。
携帯電話の使用者は、事前に操作部１０２より着信メロディの設定を行うことが出来、着信メロディの設定として、使用者が指定した特定の着信メロディを鳴動させる特定選曲モードと、複数の着信メロディの中からランダムに選曲して鳴動させるランダム選曲モードの設定を可能としている。
【００１９】
ＣＰＵ１０４で着信を検出すると、着信音の設定値を参照し、特定のメロディを選択（特定選曲モード）時には、データメモリ１０５に記憶された使用者が選定した着信メロディに関するデータを参照して、音源部１０３に記憶された複数の着信メロディの中から前記使用者が選定した着信メロディを選択し、デジタル形式の着信メロディを音源部１０３より出力する。
着信音の設定値としてランダム選曲を設定時には、マイク１０１２より入力された周囲騒音をマイクアンプ１１０にてレベル調整を行い、Ａ／Ｄコンバータ１０８でアナログデータをデジタルデータに変換して、騒音レベル解析部１０６で騒音レベルの計算処理を行い、周囲騒音レベルを算出する。
【００２０】
ＣＰＵ１０４は、騒音レベル解析部１０６が算出した騒音レベルの結果に基づいて、音源部１０３に記憶されている着信メロディの中から、鳴動させる着信メロディを選択して音源部１０３より出力する。尚、ランダム選曲を設定時のメロディの選択方法の詳細については後述する。
音源部１０３より出力されたデジタル形式の着信メロディは、Ｄ／Ａコンバータ１０７でデジタルデータ形式からアナログデータ形式に変換され、スピーカアンプ１０９でレベル調整を行い、スピーカ１１０より鳴動される。
【００２１】
図２は、本第１の実施の形態の処理を示すフローチャートであり、着信時に鳴動させる着信メロディを設定する際の処理を示している。
図２において、使用者は、操作部１０２を操作して、携帯電話の設定機能の中から着信メロディの設定機能を選択する（ステップＳ２０１）。
着信メロディの設定では、あらかじめ携帯電話に内蔵されている内蔵曲と使用者がインターネット等からダウンロードしたダウンロード曲の中から、着信時にランダムに選曲してメロディを鳴動するランダム選曲と、内蔵曲やダウンロード曲から使用者が選択した好みのメロディを鳴動させる特定選曲のいずれかを選択することができる（ステップＳ２０２）。
【００２２】
使用者が特定選曲を選択する場合には、あらかじめ携帯電話に内蔵されている内蔵曲と使用者がダウンロードしたメロディの曲目リストから好みのメロディを選択して（ステップＳ２０４）、着信時に鳴動するメロディを決定し、着信メロディの設定処理を終了する。尚、前記曲目リストはデータメモリ１０５に記憶され、前記曲目クリストに対応する着信メロディは音源部１０３にデジタルデータ形式によって記憶されている。
【００２３】
使用者がランダム選曲を選択する場合、ランダムに選択するメロディを内蔵曲とダウンロード曲すべてを対象とする方法（全曲選曲）と、使用者がランダムに選曲するメロディを内蔵曲とダウンロード曲の中から一部の複数曲を選択する方法（部分選曲）がある（ステップＳ２０３）。
ランダムに選択するメロディを内蔵曲とダウンロード曲の全曲を対象として選択（全曲選曲）したときには、着信メロディの設定処理を終了する。
【００２４】
ランダム選曲の対象曲を一部の複数の曲に指定（部分選曲）したときには、使用者が内蔵メロディとダウンロード曲の曲目リストから対象曲の指定を行って、着信メロディ設定処理を終了する（ステップＳ２０５）。この場合、ＣＰＵ１０４はデータメモリ１０５に記憶されている前記曲目リストを表示部（図示せず）に表示し、使用者が操作部１０２を操作することによって前記表示部に表示された曲目リストから対象曲の指定を行う。
また、ランダム選曲の対象曲として、内蔵曲のみ対象として設定する、あるいは、ダウンロード曲のみ対象として設定する等、選択して指定可能である。このようにして指定した曲目のリストは、データメモリ１０５に記憶される。
【００２５】
図３は、本第１の実施の形態において、着信メロディの鳴動方法としてランダム選曲を設定したときの着信メロディの選曲処理を説明するためのフローチャートである。
また、図４は、本第１の実施の形態において、ランダム選曲を設定する場合の説明図である。検索用データの一種である着信メロディリストはデータメモリ１０５に記憶されており、着信メロディリストに含まれている着信メロディは、音源部１０３に記憶されている。
【００２６】
図４に示すように、着信メロディリストには、着信メロディの曲名、鳴動させるレベルの情報（レベル情報）及びランダム選曲の指定が行われているか否かを示すランダム指定情報（ランダム選曲が指定されている着信メロディは記号「○」が付され、ランダム選曲が指定されていない着信メロディは記号「×」が付されている。）が対応付けて設けられており、前記各項目が検索用データとして使用される。図４の例では、着信メロディとして、内蔵曲１から６、ダウンロード（ＤＬ）曲１から６が含まれている。
【００２７】
携帯電話に登録される着信メロディとして、内蔵曲とダウンロード曲があり、それぞれのメロディーデータには、付加情報としてメロディの音量の大きさを表すレベル情報を持っている。
本第１の実施の形態では、メロディの音量を示す付加情報として１から３までの３段階の付加情報を持ち、１がメロディの音量が大、２がメロディの音量が中、３がメロディの音量が小を表す例について説明する。
【００２８】
図４のランダム選曲リストに示すように、使用者が着信メロディ設定においてランダム選曲を設定し（ステップＳ２０１）、ランダム選曲の対象曲として、内蔵曲１、内蔵曲４、内蔵曲５、ダウンロード曲の１から６を設定したとき（ステップＳ２０５の部分選曲）、ランダム選曲の対象メロディにおいて、メロディの音量の大きさを表す付加情報をもとにグループ分けされる。図４の例では、音量が大のグループＧｒ１として、内蔵曲１、ダウンロード曲２とダウンロード曲６が対象となる。同様に音量が中のグループＧｒ２として、ダウンロード曲１、ダウンロード曲３、ダウンロード曲５が対象となり、音量が小さいグループＧｒ３として、内蔵曲４、内蔵曲５、ダウンロード曲４が対象としてグループ分けされる。
【００２９】
次に、図３及び図４を参照して、ランダム選曲時の選曲方法について説明する。
携帯電話に着信がかかると（ステップＳ３０１）、ＣＰＵ１０４はデータメモリ１０５の記憶内容を参照して、着信メロディ選択においてランダム選曲の設定が行われているか確認する（ステップＳ３０２）。
ＣＰＵ１０４は、ステップＳ３０２においてランダム設定が行われていないと判断した場合には、データメモリ１０５の設定データを参照して、使用者が特定選曲によって指定した着信メロディを選択して音源部１０３からスピーカ１１１に出力して鳴動する。
【００３０】
ＣＰＵ１０４は、着信音選択においてランダム選曲が設定されていると判断したきには、乱数の値を算出する（ステップＳ３０３）。乱数は、携帯電話に保持している時計情報や、プログラムカウンタの値を利用するなど、携帯電話にて使用している値が変化するデータを使用して求めるものとする。
次に、マイク回路（Ａ／Ｄコンバータ１０８及びマイクアンプ１１０によって構成される。）をオン状態にして、マイク１１２より携帯電話の周囲騒音を取得し、周囲騒音レベルを騒音レベル解析部１０６において算出する（ステップＳ３０４）。
【００３１】
ＣＰＵ１０４は、騒音レベル解析部１０６にて算出した騒音レベルを所定の第１基準値Ｔｈ１と比較し（ステップＳ３０５）、騒音レベルが第１基準値Ｔｈ１よりも大きいと判断したときには、周囲の騒音レベルが非常に大きく着信音が聞き取りづらいことが想定されるため、着信メロディの音量が大きいグループＧｒ１のランダム対象曲の中から着信メロディを選択する（ステップＳ３０７）。
【００３２】
着信メロディの選択は、例えば、事前に求めた乱数をグループＧｒ１の曲数で割り算したときの余りを計算し、計算結果（余り）に対応する番号（Ｎｏ）の着信音を選択してスピーカ１１１から鳴動させる。例えば、乱数が１２３４のときはグループＧｒ１の曲数が３曲のため、乱数１２３４を３で割ったときの余りが１となり、着信時に鳴動するメロディとして、グループＧｒ１の中の番号（Ｎｏ）１のダウンロード曲２を選択してスピーカ１１１から鳴動させる。
【００３３】
ＣＰＵ１０４は、算出した騒音レベルが第１基準値Ｔｈ１よりも大きくないときには、算出した騒音レベルを前記第１基準値Ｔｈ１よりも小さい第２基準値Ｔｈ２と比較し（ステップＳ３０６）、第２基準値Ｔｈ２よりも大きいときには、周囲騒音が大きくも小さくもないため、着信メロディの音量が中であるグループＧｒ２のランダム対象曲の中から着信音を選択する（ステップＳ３０８）。
【００３４】
着信音の選択は、事前に求めた乱数をグループＧｒ２の曲数で割り算したときの余りを計算し、計算結果に対応する番号（Ｎｏ）の着信音を選択してスピカ１１１から鳴動させる。例えば、乱数が２３４５のときは、２３４５を３で割ったときの余りが２となるため、着信時に鳴動するメロディとして、グループＧｒ２の中の番号（Ｎｏ）２のダウンロード曲５を選択して鳴動する。
【００３５】
ＣＰＵ１０４は、算出した騒音レベルが前記第２基準値Ｔｈ２よりも大きくないときには、周囲騒音が小さいことが想定されるため、着信メロディの音量が小さくても使用者は十分に着信に気がつくことができるため、着信音量が小であるグループＧｒ３のランダム対象曲のなかから、着信音を選択する（ステップＳ３０９）。
着信音の選択は、事前に求めた乱数をグループＧｒ３の曲数で割り算したときの余りを計算し、計算結果に対応する番号（Ｎｏ）の着信音を選択して鳴動する。例えば、乱数が３４５６のときには、グループＧｒ３の曲数が３曲のため、３４５６を３で割ったときの余りが０となり、着信時に鳴動するメロディとして、グループＧｒ３のなかの番号（Ｎｏ）０の内蔵曲４を選択して鳴動する。
【００３６】
また、算出した騒音レベルより指定したグループに、ランダム対象曲がないときには、別のグループの対象曲を選曲して鳴動する。
本実施の形態では、メロディに対応付けたレベル情報を３段階とする例について説明したが、３段階に限定されることなく、複数段階（Ｎ段階）のレベル情報を保持し、Ｎ段階に対応する騒音レベルの判定基準値Ｔｈを持つことが出来るものとする。
【００３７】
以上述べたように、本発明の第１の実施の形態は、着信を着信メロディによって報知する機能を有する着信メロディ機能付携帯電話において、使用者が着信メロディとして鳴動する曲を携帯電話に登録されているメロディの中からランダムに鳴動することができるように構成している。また、ランダム選曲鳴動を設定した状態で着信メロディを鳴動する時、携帯電話の周囲の騒音をモニタし、騒音レベルに応じて鳴動する楽曲を選択し、着信音として鳴動するように構成している。
【００３８】
即ち、使用者が着信メロディの設定において、あらかじめ携帯電話に内蔵されている内蔵曲と使用者がダウンロードしたダウンロード曲の中から、使用者の好みの楽曲を選択する以外に、携帯電話に内蔵されている内蔵曲と使用者がダウンロードしたダウンロード曲の中から、着信時にランダムに選曲してメロディを鳴動することが出来るランダム選曲を着信音設定の中から設定出来るように構成しているため、使用者が着信メロディの変更操作を行うことなく、着信時に色々なメロディを鳴動させることが可能になる。
【００３９】
また、使用者が着信メロディの設定において、ランダム選曲を設定時に、携帯電話に内蔵されている内蔵曲とダウンロード曲の中から使用者がランダム選曲の対象となるメロディを自由に選択出来、選択したメロディの中からランダムに選曲してメロディを鳴動することが出来るため、使用者が着信メロディの変更操作を行うことなく、使用者の好みの楽曲の中からランダムに選曲してメロディを鳴動させることが可能になる。
【００４０】
また、それぞれの着信メロディ毎にメロディの音量の大きさを表す付加情報をあらかじめ保持しておき、ランダム選曲の対象曲を付加情報をもとにグループ分けする。また、着信時にマイクより入力された信号より周囲騒音レベルを算出し、算出した騒音レベルに対応するグループのランダム選曲の対象メロディより、メロディを鳴動するようにしている。したがって、使用者が着信メロディの設定においてランダム選曲を選択時に、周囲の騒音レベルに対応した聞き取りやすい着信メロディを鳴動させることが可能になる等の効果を奏する。
【００４１】
図５は、本発明の第２の実施の形態に係る着信メロディ機能付通信機のブロック図で、前記第１の実施の形態と同様に、着信メロディ機能付携帯電話の例を示している。尚、図１と同一部分には同一符号を付している。
前記第１の実施の形態では、騒音レベル解析部１０６によって周囲の騒音レベルを検出し、そのレベルに応じて適切な着信メロディを選択して鳴動するように構成したが、本第２の実施の形態では、騒音スペクトラム解析部５０１によって周囲の騒音のスペクトラム分析を行って、周囲騒音レベルの大きい周波数を求め、それに応じて、着信報知が使用者に聞こえやすい着信メロディを選択して鳴動させるように構成している。ここで、騒音スペクトラム解析部５０１は、周囲音のスペクトラムを解析する音スペクトラム解析手段を構成している。
【００４２】
以下、図５を用いて前記着信メロディ出力時の動作について説明する。尚、前記第１の実施の形態と同一の動作部分は説明を省略し、主として相違する部分について動作説明を行う。
図示しない基地局より携帯電話の呼び出しが行なわれると、無線部１０１を介して、中央処理装置（ＣＰＵ）１０４が着信信号を検出する。使用者は事前に操作部１０２より着信メロディの設定を行なうことが出来、着信メロディの設定として、ランダムに選曲する設定を可能とする。
【００４３】
ＣＰＵ１０４が着信を検出すると、着信音の設定を参照し、ランダム選曲を設定時には、マイク１１２から入力された周囲音をマイクアンプ１１０が増幅する等してレベル調整を行い、Ａ／Ｄコンバータ１０８がアナログデータをデジタルデータに変換して騒音スペクトラム解析部５０１に出力する。
騒音スペクトラム解析部５０１は、Ａ／Ｄコンバータから入力された周囲音のスペクトラム分析を行い、周囲音のレベルが大きい周波数について求める。ＣＰＵ１０４は、騒音スペクトラム解析部５０１の解析結果に基づいて、周囲音レベルが大きい周波数のレベルが最も大きい着信メロディを選択して鳴動する。
【００４４】
尚、あらかじめ携帯電話に内蔵されている内蔵曲と使用者がダウンロードしたダウンロード曲のスペクトラムについて事前に分析を行っておく。例えば、周囲音レベルについて分析した結果、１ＫＨｚの周囲音レベルが大きい時には、各メロディの１ＫＨｚのレベルについて比較し、１ＫＨｚのレベルが一番大きいメロディを着信音として選択し、音源部１０３より出力する。音源部１０３より出力された着信メロディーデータは、Ｄ／Ａコンバータ１０７でデジタルデータからアナログデータに変換され、スピーカアンプ１０９で増幅処理等のレベル調整処理を行われた後、スピーカ１１１から出力されて鳴動する。
【００４５】
本第２の実施の形態によれば、前記第１の実施の形態と同様の効果を奏するばかりでなく、それぞれの着信メロディ毎にメロディーデータの周波数スペクトラムを分析しておき、また、着信時にマイク１１２より入力された信号より周囲音の周波数スペクトラムについて分析して周囲音レベルが大きい周波数を求め、周囲音レベルが大きい周波数のレベルが大きい着信メロディを選択して鳴動するようにしているため、使用者が着信メロディの設定においてランダム選曲を選択時に、周囲の騒音に対応した聞き取りやすい着信メロディを鳴動させることが可能になるという効果を奏する。
【産業上の利用可能性】
【００４６】
携帯電話、ＰＨＳ、通信機能を有するＰＤＡ、コンピュータ、卓上電話等、通話や電子メール等の着信を着信メロディによって報知する機能を有する各種の着信メロディ機能付通信機に適用することが可能である。
【図面の簡単な説明】
【００４７】
【図１】本発明の第１の実施の形態に係る着信メロディ機能付通信機のブロック図である。
【図２】本発明の第１の実施の形態に係る着信メロディ機能付通信機の処理を示すフローチャートである。
【図３】本発明の第１の実施の形態に係る着信メロディ機能付通信機の処理を示すフローチャートである。
【図４】本発明の第１の実施の形態に係る着信メロディ機能付通信機の説明図である。
【図５】本発明の第２の実施の形態に係る着信メロディ機能付通信機のブロック図である。
【符号の説明】
【００４８】
１０１・・・送受信手段を構成する無線部
１０２・・・入力手段を構成する操作部
１０３・・・着信メロディ出力手段を構成する音源部
１０４・・・制御手段を構成するＣＰＵ
１０５・・・記憶手段を構成するデータメモリ
１０６・・・音レベル解析手段を構成する騒音レベル解析部
１０７・・・着信メロディ出力手段を構成するデジタル／アナログコンバータ
１０８・・・周囲音検出手段を構成するアナログ／デジタルコンバータ
１０９・・・着信メロディ出力手段を構成するスピーカアンプ
１１０・・・周囲音検出手段を構成するマイクアンプ
１１１・・・着信メロディ出力手段を構成するスピーカ
１１２・・・周囲音検出手段を構成するマイク
５０１・・・音スペクトラム解析手段を構成する騒音スペクトラム解析部
【図１】
2007266803.tif 000003
【図２】
2007266803.tif 000004
【図３】
2007266803.tif 000005
【図４】
2007266803.tif 000006
【図５】
2007266803.tif 000007